(57)【要約】【課題】色覚特性に関わらず感性表現として共有することが可能な配色を、その配色に対する各色覚特性間における感性表現の共有度合を示す情報と共に提示する色情報表示装置及びプログラムを提供する。【解決手段】色情報表示装置１は、基準の色覚特性に対応した基準の配色を抽出する抽出手段１００と、基準の色覚特性と他の色覚特性との間における基準の配色に対する感性表現の共有度合に応じて、基準の配色をそのまま、又は変換して出力する出力手段１０６と、感性表現の共有度合を示す情報を、出力される配色に付与する付与手段１０５とを備えた色情報表示装置を提供する。【選択図】図１
2018148456.tif 000002
【特許請求の範囲】
【請求項１】
基準の色覚特性に対応した基準の配色を抽出する抽出手段と、
前記基準の色覚特性と他の色覚特性との間における前記基準の配色に対する感性表現の共有度合に応じて、前記基準の配色をそのまま、又は変換して出力する出力手段と、
前記感性表現の共有度合を示す情報を、前記出力される配色に付与する付与手段と、
を備えた色情報表示装置。
【請求項２】
前記出力手段は、前記基準の配色に対し、異なる色覚特性の間において感性表現を共有できる場合には、前記基準の配色をそのまま出力する請求項１に記載の色情報表示装置。
【請求項３】
前記抽出手段は、
感性表現を示す語を受け付ける受付手段と、
前記基準の配色として、前記語に対応する配色を取得する取得手段と、
を備える、請求項２に記載の色情報表示装置。
【請求項４】
前記取得手段は、前記語に対応する配色を複数取得する請求項３に記載の色情報表示装置。
【請求項５】
前記抽出手段は、
画像を受け付ける受付手段と、
前記画像を構成する色を、前記基準の配色として取得する取得手段とを備える請求項２に記載の色情報表示装置。
【請求項６】
前記取得された配色が変換されて出力された場合に、前記変換された配色で構成された画像を生成する生成手段をさらに備える、
請求項５に記載の色情報表示装置。
【請求項７】
前記取得された配色に対し、異なる色覚特性の間において感性表現を共有できない場合に、前記取得された配色に対応する語に対応し、異なる色覚特性の間において感性表現を共有することが可能な配色で構成された画像を生成する生成手段をさらに備える、
請求項５に記載の色情報表示装置。
【請求項８】
コンピュータを、
基準の色覚特性に対応した基準の配色を抽出する抽出手段と、
前記基準の色覚特性と他の色覚特性との間における前記基準の配色に対する感性表現の共有度合に応じて、前記基準の配色をそのまま、又は変換して出力する出力手段と、
前記感性表現の共有度合を示す情報を、前記出力される配色に付与する付与手段として、
機能させるプログラム。
【発明の詳細な説明】
【技術分野】
【０００１】
本発明は、色情報表示装置及びプログラムに関する。
【背景技術】
【０００２】
従来、一般色覚者、色弱者が、色分けされたグラフなどを含むオフィス文書などの画像の色を識別しやすいように色変換する画像処理装置が提案されている（例えば、特許文献１参照）。
【０００３】
特許文献１に開示された画像処理装置は、入力画像データをデバイスに依存しない表色系の画像データに変換する色変換手段と、前記画像データを所定の間隔で複数の領域に分け、前記各領域に含まれる前記画像データの画素の頻度を算出することにより、前記領域毎の頻度の分布を算出する頻度分布算出手段と、前記頻度分布において、頻度を有する各領域間の色差を、複数の色覚特性について算出する色差算出手段と、前記頻度分布と前記複数の色覚特性における色差に基づいて、前記画像データに対して色補正を行う色補正手段と、前記色補正された画像データを画像出力装置の色再現範囲内にマッピングする色域マッピング手段とを備え、前記色補正手段は、前記複数の色覚特性の内、Ｃ型色覚における色差が所定値以上で、かつＰ型またはＤ型色覚における色差の内、少なくとも一方が所定値以下である場合、前記Ｃ型色覚における色差の変化を抑制しつつ、前記Ｐ型またはＤ型色覚における色差の内、少なくとも一方が増大するように色補正を行うようにしている。
【先行技術文献】
【特許文献】
【０００４】
【特許文献１】特開２０１０−５０８３０号公報
【発明の概要】
【発明が解決しようとする課題】
【０００５】
本発明の目的は、色覚特性に関わらず感性表現として共有することが可能な配色を、その配色に対する各色覚特性間における感性表現の共有度合を示す情報と共に提示する色情報表示装置及びプログラムを提供することにある。
【課題を解決するための手段】
【０００６】
［１］基準の色覚特性に対応した基準の配色を抽出する抽出手段と、
前記基準の色覚特性と他の色覚特性との間における前記基準の配色に対する感性表現の共有度合に応じて、前記基準の配色をそのまま、又は変換して出力する出力手段と、
前記感性表現の共有度合を示す情報を、前記出力される配色に付与する付与手段と、
を備えた色情報表示装置。
［２］前記出力手段は、前記基準の配色に対し、異なる色覚特性の間において感性表現を共有できる場合には、前記基準の配色をそのまま出力する前記［１］に記載の色情報表示装置。
［３］前記抽出手段は、
感性表現を示す語を受け付ける受付手段と、
前記基準の配色として、前記語に対応する配色を取得する取得手段と、
を備える、前記［２］に記載の色情報表示装置。
［４］前記取得手段は、前記語に対応する配色を複数取得する前記［３］に記載の色情報表示装置。
［５］前記抽出手段は、
画像を受け付ける受付手段と、
前記画像を構成する色を、前記基準の配色として取得する取得手段とを備える前記［２］に記載の色情報表示装置。
［６］前記取得された配色が変換されて出力された場合に、前記変換された配色で構成された画像を生成する生成手段をさらに備える、
前記［５］に記載の色情報表示装置。
［７］前記取得された配色に対し、異なる色覚特性の間において感性表現を共有できない場合に、前記取得された配色に対応する語に対応し、異なる色覚特性の間において感性表現を共有することが可能な配色で構成された画像を生成する生成手段をさらに備える、
前記表示手段は、前記生成された画像を表示する前記［５］に記載の色情報表示装置。
［８］コンピュータを、
基準の色覚特性に対応した基準の配色を抽出する抽出手段と、
前記基準の色覚特性と他の色覚特性との間における前記基準の配色に対する感性表現の共有度合に応じて、前記基準の配色をそのまま、又は変換して出力する出力手段と、
前記感性表現の共有度合を示す情報を、前記出力される配色に付与する付与手段として、
機能させるプログラム。
【発明の効果】
【０００７】
請求項１及び８に係る発明によれば、色覚特性に関わらず感性表現として共有可能な配色を、その配色に対する各色覚特性間における感性表現の共有度合を示す情報と共に提示することができる。
請求項２に係る発明によれば、感性表現を共有できる場合には、基準の配色を色覚特性に関わらず感性表現として共有可能な配色として提示することができる。
請求項３に係る発明によれば、感性表現に対応する配色を基準の配色として、色覚特性に関わらず感性表現として共有可能な配色を提示することができる。
請求項４に係る発明によれば、基準の配色として、感性表現に対応する配色を複数用いることができる。
請求項５に係る発明によれば、画像を構成する色を基準の配色として、色覚特性に関わらず感性表現として共有可能な配色を提示することができる。
請求項６に係る発明によれば、画像を構成する色が変換されて共有可能な配色とされた場合に、その配色で構成された画像を提示することができる。
請求項７に係る発明によれば、画像を構成する色を基準の配色としたとき感性表現として共有できない場合には、その配色に対応する感性表現の語に対応し、共有可能な配色で構成された画像を提示することができる。
【図面の簡単な説明】
【０００８】
【図１】図１は、本発明の第１の実施の形態に係る色情報表示装置の概略を示す構成図である。
【図２】図２は、第１の実施の形態の色情報表示装置の動作の一例を示すフローチャートである。
【図３】図３は、基準の配色の一例を示す説明図である。
【図４】図４は、共有可能配色データと比較した結果の一例を示す説明図である。
【図５】図５（１）〜（８）は、差替配色データの一例を示す説明図である。
【図６】図６は、差し替えれば感性表現を共有することが可能となる配色を示す説明図である。
【図７】図７は、基準の配色に感性表現の共有度合と共に表示した例を示す説明図である。
【図８】図８は、共有度合が「低」の配色を使用する場合の処理の一例を示すフローチャートである。
【図９】図９は、配色の色相を固定して明度と彩度を一定間隔で変化させて表示する様子を示す説明図である。
【図１０】図１０は、本発明の第２の実施の形態に係る色情報表示装置の概略を示す構成図である。
【図１１】図１１は、第２の実施の形態の色情報表示装置の動作の一例を示すフローチャートである。
【図１２】図１２は、第２の実施の形態の変形例の動作の一例を示すフローチャートである。
【発明を実施するための形態】
【０００９】
以下、本発明の実施の形態について図面を参照して詳細に説明する。
【００１０】
［実施の形態の要約］
本発明の実施の形態に係る色情報表示装置は、基準の色覚特性に対応した基準の配色を抽出する抽出手段と、基準の色覚特性と他の色覚特性との間における基準の配色に対する感性表現の共有度合に応じて、基準の配色をそのまま、又は変換して出力する出力手段と、感性表現の共有度合を示す情報を、出力される配色に付与する付与手段と、を備える。
【００１１】
基準の色覚特性とは、一般色覚者（Ｃ型色覚者）の色覚特性であるＣ型色覚特性をいう。他の色覚特性とは、例えば、Ｐ型／Ｄ型色覚者等Ｃ型色覚者以外の色覚特性をいう。
【００１２】
基準の配色とは、Ｃ型色覚者がその配色を見たときにある特定の感性表現を表す語を想起するような配色をいう。
【００１３】
感性表現の共有度合とは、一般色覚者とＰ型／Ｄ型色覚者との間で感性表現を共有できる程度をいう。
【００１４】
配色とは、複数の色の組み合わせのことである。
【００１５】
［第１の実施の形態］
本発明の第１の実施の形態は、感性表現に対応する語を特定した際に提示される配色毎に、一般色覚者（Ｃ型色覚者）とＰ型／Ｄ型色覚者との間で感性表現の共有度合を付して表示するものである。
【００１６】
（色情報表示装置の構成）
図１は、本発明の第１の実施の形態に係る色情報表示装置の概略を示す構成図である。
【００１７】
図１に示すように、本実施の形態に係る色情報表示装置１は、制御部１０、記憶部１２、入力部１４及び表示部１６等を有して構成されている。
【００１８】
制御部１０は、ＣＰＵ等から構成され、各部を制御するとともに各種のプログラムを実行する。
【００１９】
制御部１０は、抽出手段１００、比較手段１０３、配色変換手段１０４、付与手段１０５、出力手段１０６、配色変化手段１０７、配色選択手段１０８及びデータベース登録手段１０９を含んで構成される。また、抽出手段１００は、受付手段１０１と取得手段１０２を含んで構成される。
【００２０】
記憶部１２は、ハードディスクやフラッシュメモリ等の記録媒体から構成され、情報を記憶する。
【００２１】
記憶部１２は、色情報表示プログラム１２０、感性表現データ１２１、配色データ（ＤＢ−Ａ）１２２、共有可能配色データ（ＤＢ−Ｂ）１２３、阻害原因色データ（ＤＢ−Ｃ）１２４、差替配色データ（ＤＢ−Ｄ）１２５及び明度・彩度最適配色データ（ＤＢ−Ｅ）１２６を含んで構成される。
【００２２】
抽出手段１００は、基準の色覚特性に対応した基準の配色を抽出するものである。
【００２３】
抽出手段１００は、受付手段１０１と取得手段１０２を含み、受付手段１０１が感性表現に対応した語を受け付けると、取得手段１０２がその語に対応する配色を配色データ（ＤＢ−Ａ）１２２から取得することによって基準の配色を抽出する。
【００２４】
すなわち、抽出手段１００により、一つの感性表現を表す語に対して、Ｃ型色覚者にその語を想起させるような配色が基準の配色として抽出される。
【００２５】
比較手段１０３は、今使用しようとしている配色が、Ｃ型色覚者とＰ型／Ｄ型色覚者との間で感性表現を共有することが可能かどうか、その度合い（共有度合）を調べるために各種の配色データベース（共有可能配色データ（ＤＢ−Ｂ）１２３、阻害原因色データ（ＤＢ−Ｃ）１２４、差替配色データ（ＤＢ−Ｄ）１２５）のデータとその配色を比較するものである。
【００２６】
配色変換手段１０４は、今使用しようとしている配色が、Ｃ型色覚者とＰ型／Ｄ型色覚者との間で感性表現が共有することが可能でなく、そのままでは使用できないが、差替配色データ（ＤＢ−Ｄ）１２５と比較した結果、配色を差し替えれば感性表現が共有することが可能となり使用できる場合に、その配色を差替配色に変換するものである。
【００２７】
付与手段１０５は、比較手段１０３で配色を各配色データベースと比較した結果得られるその配色に関するＣ型色覚者とＰ型／Ｄ型色覚者との間での感性表現の共有度合を示す情報をその配色に付与するものである。
【００２８】
出力手段１０６は、今使用しようとしている配色をその配色に付与された感性表現の共有度合と共に、あるいはその配色を変換した配色を表示部１６に出力するものである。
【００２９】
配色変化手段１０７は、今使用しようとしている配色が差し替えても共有することが可能とはならず使用不可であっても、感性表現を変えない範囲でその配色に近い配色を使用する場合に、その配色の色相・明度・彩度のいずれかを固定して他を一定間隔で変化させるものである。
【００３０】
配色選択手段１０８は、配色変化手段１０７が変化させた配色の中から、Ｐ型／Ｄ型色覚者が当初の感性表現と同じ感性表現を得られる配色を指定したときにその配色を選択するものである。
【００３１】
データベース登録手段１０９は、配色選択手段１０８によって選択された配色を、新たに色相・明度・彩度最適配色データ（ＤＢ−Ｅ）１２６に登録するものである。
【００３２】
記憶部１２に記憶された色情報表示プログラム１２０は、制御部１０を上述した各手段として機能させるものである。感性表現データ１２１は、例えば「快活な」、「活気のある」や「はれやかな」等の感性表現を表す語を蓄積したデータベースであり、ここでは３６０種の感性表現（語）が登録されている。
【００３３】
配色データ（ＤＢ−Ａ）１２２は、Ｃ型色覚者が感性表現データ１２１に登録された各語を想起するような配色を基準配色として蓄積したデータベースである。感性表現を表す各語に対してこのような配色が１０種ずつ用意されており、配色データ（ＤＢ−Ａ）１２２には、全部で３６００種の配色が登録されている。
【００３４】
共有可能配色データ（ＤＢ−Ｂ）１２３は、Ｃ型色覚者もＰ型／Ｄ型色覚者も、その配色から同じ感性表現の語を想起する配色、すなわち感性表現を共有することが可能な配色を蓄積したデータベースである。この共有可能配色データ（ＤＢ−Ｂ）１２３には、上の配色データ３６００種のうち、あらかじめＰ型／Ｄ型色覚者に対して調査した結果、共有することが可能とされた２８５３種の配色が登録されている。
【００３５】
すなわち、共有可能配色データ（ＤＢ−Ｂ）１２３の配色は、Ｃ型色覚者もＰ型／Ｄ型色覚者もその配色から同じ感じを受けるので、共有度合が高い配色であると評価される。従って、ある感性表現を表現しようという場合に、その配色ならそのまま使用しても構わないということになる。
【００３６】
阻害原因色データ（ＤＢ−Ｃ）１２４は、Ｃ型色覚者とＰ型／Ｄ型色覚者とが、その配色に対し感性表現を共有できない場合、どの色が原因で共有不能になっているのか、その阻害原因色を蓄積したデータベースである。この阻害原因色データ（ＤＢ−Ｃ）１２４には、８種の色が登録されているが、その詳細については次の差替配色データ（ＤＢ−Ｄ）１２５と合わせて後述する。
【００３７】
差替配色データ（ＤＢ−Ｄ）１２５は、阻害原因色が特定できた配色について、その配色を差し替えるための差替配色データを蓄積したデータベースである。この差替配色データは、８種の阻害原因色それぞれに対して複数の差替配色が用意されており全部で２３２種の差替配色が登録されている。これについても詳細は後述する。
【００３８】
色相・明度・彩度最適配色データ（ＤＢ−Ｅ）１２６は、感性表現を共有できない場合、さらに阻害原因色データ（ＤＢ−Ｃ）１２４、差替配色データ（ＤＢ−Ｄ）１２５にも該当しない場合に、その配色の色相・明度・彩度のいずれかを固定して他を一定間隔で変化させたものの中からＰ型／Ｄ型色覚者が選択した配色を登録したデータベースである。
【００３９】
なお、入力部１４としては、キーボード、マウス又はタッチパネル等を適宜選択して用いることができる。また、表示部１６は、文字や画像等を表示するものでディスプレイ装置等で構成される。
【００４０】
（第１の実施の形態の動作）
次に、本発明の第１の実施の形態の色情報表示装置１の動作を図２を参照して説明する。図２は、第１の実施の形態の色情報表示装置１の動作の一例を示すフローチャートである。
【００４１】
（共有度合の付与）
この色情報表示装置１を操作する者は、まず入力部１４より感性表現に対応する語を入力する（ステップＳ１００）。このとき操作者は、感性表現データ１２１に登録されている３６０種の語のうちの一つを選んで入力するものとする。
【００４２】
この入力は、操作者が入力部１４から感性表現の語を直接入力してもよいし、感性表現データ１２１に登録されているデータを表示部１６に表示させて、その中から選択するようにしてもよい。
【００４３】
入力部１４から入力された感性表現の語は、抽出手段１００の受付手段１０１によって受け付けられる。受付手段１０１によって受け付けられた語は、取得手段１０２に渡される。取得手段１０２は、配色データ（ＤＢ−Ａ）１２２から、その配色に対してＣ型色覚者がその感性表現の語を想起するような配色として、その語に対応付けられた配色を基準の配色として取得する。このようにして、抽出手段１００により感性表現の語に対応する基準の配色が抽出される（Ｓ１０１）。
【００４４】
図３に基準の配色の一例を示す。ここには、例えば感性表現として「快活な」という語に対応する、それぞれ３色からなる１０種の配色ａ、・・・、ｊが示されている。各配色ａ、・・・、ｊの各色の下に記載されている３つの数字は、それぞれの色を特定するＲＧＢ値である。例えば、ＲＧＢ値が３つとも２５５の色は「白」である。３色は、配色の一例である。
【００４５】
抽出された基準の配色は比較手段１０３に渡される。次いで、比較手段１０３は、この基準の配色を共有可能配色データ（ＤＢ−Ｂ）１２３と比較する（Ｓ１０２）。共有可能配色データ（ＤＢ−Ｂ）１２３には、Ｃ型色覚者とＰ型／Ｄ型色覚者とが感性表現を共有することが可能な２８５３種の配色が登録されている。
【００４６】
比較の結果、基準の配色で使用したい配色が共有可能配色データ（ＤＢ−Ｂ）１２３とマッチしたと判断された場合には（Ｓ１０３；Ｙｅｓ）、その配色は、Ｃ型色覚者とＰ型／Ｄ型色覚者との間で感性表現を共有することが可能なので、そのまま使用可能である。そこで、この配色は共有度合が高いと判断される（Ｓ１０４）。なお、基準の配色が共有可能配色データ（ＤＢ−Ｂ）１２３とマッチしたとは、基準の配色が共有可能配色データ（ＤＢ−Ｂ）１２３に蓄積されている配色のいずれかと同一であることを意味する。
【００４７】
図４に、共有可能配色データ（ＤＢ−Ｂ）１２３と比較した結果の一例を示す。例えば、図３に示す１０種の基準の配色ａ〜ｊに対して、配色ｃ、配色ｄ及び配色ｆが共有可能配色データ（ＤＢ−Ｂ）１２３とマッチしたとする。そこで、図４では、この３つの配色ｃ、ｄ、ｆは共有度合が高いことを表すために「〇」が付されている。またそれ以外の配色に対しては、取り敢えずここでは共有可能配色データ（ＤＢ−Ｂ）１２３とマッチしなかったことを示す「×」が付されている。「〇」、「△」、「×」は、感性表現の共有度合を示す情報３００の一例である。なお、「〇」、「△」、「×」等の記号に限定されるものではなく、例えば、記号以外の数値等でもよい。
【００４８】
上記比較の結果、基準の配色で使用したい配色が共有可能配色データ（ＤＢ−Ｂ）１２３とマッチしないと判断された場合には（Ｓ１０５；Ｎｏ）、比較手段１０３は今度はこの配色（すなわち、図４で「×」が付された配色）を阻害原因色データ（ＤＢ−Ｃ）１２４と比較して、感性表現を共有できない原因となっている原因色を特定する（Ｓ１０５）。
【００４９】
（阻害原因色）
ここで阻害原因色は、例えば、次の８種である。
（i）「赤」（Ｒ；Ｇ；Ｂ＝２２１；０；４８）、
（ii）「空色」（Ｒ；Ｇ；Ｂ＝６８；１８５；１９６）、
（iii）「黄」（Ｒ；Ｇ；Ｂ＝２５２；２１８；０）、
（iv）「オレンジ」（Ｒ；Ｇ；Ｂ＝２５５；１３１；０）、
（v）「ベージュ」（Ｒ；Ｇ；Ｂ＝２５５；１９５；１５２）、
（vi）「うすい水色」（Ｒ；Ｇ；Ｂ＝１５８；２２３；２２９）、
（vii）「赤紫」（Ｒ；Ｇ；Ｂ＝１８１；１４４；１６８）、
（viii）「青」（Ｒ；Ｇ；Ｂ＝３３；５５；１６５）。
【００５０】
比較手段１０３は、阻害原因色を特定したら次に基準の配色を差替配色データ（ＤＢ−Ｄ）１２５と比較する（Ｓ１０６）。
【００５１】
（差替配色データの例）
図５（１）〜（８）に、差替配色データの一例を示す。ここで図５（１）〜（８）はそれぞれ、上の８種の阻害原因色（i）〜（viii）に対応する差替配色データの一例である。
【００５２】
例えば図５（１）は、阻害原因色が（i）の「赤」Ｒ；Ｇ；Ｂ＝２２１；０；４８の場合の「はれやかな」という感性表現の語に対応する配色の例である。図５（１）の左側の配色はＣ型色覚者には「はれやかな」と感ずるが、Ｐ型色覚者にはＲ；Ｇ；Ｂ＝２２１；０；４８の「赤」は暗い赤「深紅」に見えることからこれを含む配色では「はれやかな」とは感じられない。
【００５３】
そこで、このＲ；Ｇ；Ｂ＝２２１；０；４８の「赤」をＲ；Ｇ；Ｂ＝２５５；４０；０に差し替えるとＰ型色覚者にも明るい「赤」に見え、Ｐ型色覚者も躍動感や別色相とのクリアな対比感を感じるようになる。従って、図５（１）の右側の配色であればＰ型色覚者も「はれやか」と感じることができる。また、この程度の配色の変換であれば、Ｃ型色覚者も相変わらず「はれやか」と感じることができるため、このように差し替えた配色であれば、Ｃ型色覚者とＰ型／Ｄ型色覚者との間で感性表現を共有することが可能となる。
【００５４】
阻害原因色「赤」を含む配色に対して、上記のように「赤」を差し替えることで、同様の改善配色が得られる感性表現の語には、この他に「活動的な」、「迫力のある」、「派手な」、「強烈な」、「アクティブな」等いろいろなものがある。
【００５５】
また、図５（２）は、阻害原因色が（ii）の「空色」Ｒ；Ｇ；Ｂ＝６８；１８５；１９６の場合の「カラッとした」という感性表現の語に対応する配色の例である。図５（２）の左側の配色の一番左の「空色」のＲ；Ｇ；Ｂ＝６８；１８５；１９６を図５（２）の右側のようにＲ；Ｇ；Ｂ＝１０２；２０４；２５５に差し替えることで、Ｐ型色覚者にとって濁りや翳りを感じさせる空色がより新鮮な印象を感じるようになる。その結果、この差し替えによりＣ型色覚者とＰ型／Ｄ型色覚者との間で「カラッとした」という感性表現を共有することが可能となる。
【００５６】
阻害原因色「空色」を含む配色に対して、上記のように「空色」を差し替えることで、同様の改善配色が得られる感性表現としては、この他に「夏らしい」、「クリアな」、「みずみずしい」、「真新しい」、「湿っぽい」、「新しい」あるいは「快活な」等がある。
【００５７】
図５（３）は、阻害原因色が（iii）の「黄」Ｒ；Ｇ；Ｂ＝２５２；２１８；０の場合の「あざやかな」という感性表現の語に対応する配色の例である。図５（３）の左側の配色の一番右のＲ；Ｇ；Ｂ＝２５２；２１８；０の「黄」を、図５（３）の右側の配色のようにＲ；Ｇ；Ｂ＝２５０；２４５；０に差し替えると、Ｐ型色覚者にとって濁りを感じさせる黄色がビビットで快活な印象を感じるようになる。その結果、このように差し替えた配色でＣ型色覚者とＰ型／Ｄ型色覚者との間で「あざやかな」という感性表現を共有することが可能となる。
【００５８】
阻害原因色「黄」を含む配色に対して、上記のように差し替えることで、同様の改善配色が得られる感性表現としては、この他に「はつらつとした」、「楽しい」、「開放的な」、「激しい」、「にぎやかな」、「辛い」、「いきのいい」あるいは「痛快な」等がある。
【００５９】
図５（４）は、阻害原因色が（iv）の「オレンジ」Ｒ；Ｇ；Ｂ＝２５５；１３１；０の場合の「快活な」という感性表現の語に対応する配色の例である。図５（４）の左側の配色の一番左のＲ；Ｇ；Ｂ＝２５５；１３１；０の「オレンジ」を図５（４）の右側のようにＲ；Ｇ；Ｂ＝２５５；１５３；０に差し替えると、Ｐ型色覚者にとってやや翳りを感じさせるオレンジ色が純度を増した印象を感じるようになる。その結果、このように差し替えた配色でＣ型色覚者とＰ型／Ｄ型色覚者との間で「快活な」という感性表現を共有することが可能となる。
【００６０】
阻害原因色「オレンジ」を含む配色に対して、上記のように差し替えることで、同様の改善配色が得られる感性表現としては、この他に「暑い」、「明るい」、「単純な」、「エネルギッシュな」、「情熱的な」あるいは「痛快な」等がある。
【００６１】
図５（５）は、阻害原因色が（v）の「ベージュ」Ｒ；Ｇ；Ｂ＝２５５；１９５；１５２の場合の「甘酸っぱい」という感性表現の語に対応する配色の例である。図５（５）の左側の配色の真ん中の「ベージュ」Ｒ；Ｇ；Ｂ＝２５５；１９５；１５２を図５（５）の右側のようにＲ；Ｇ；Ｂ＝２５５；２０９；２０９に差し替えると、Ｐ型色覚者にとって濁りを感じさせるベージュがより若々しい印象を感じるようになる。その結果、このように差し替えた配色でＣ型色覚者とＰ型／Ｄ型色覚者との間で「甘酸っぱい」という感性表現を共有することが可能となる。
【００６２】
阻害原因色「ベージュ」を含む配色に対して、上記のように差し替えることで、同様の改善配色が得られる感性表現としては、この他に「かわいい」、「やわらかい」、「うららかな」、「キュートな」あるいは「明朗な」等がある。
【００６３】
図５（６）は、阻害原因色が（vi）の「うすい水色」Ｒ；Ｇ；Ｂ＝１５８；２２３；２２９の場合の「すっきりした」という感性表現の語に対応する配色の例である。図５（６）の左側の配色の一番左の「うすい水色」Ｒ；Ｇ；Ｂ＝１５８；２２３；２２９を図５（６）の右側のようにＲ；Ｇ；Ｂ＝１８０；２３５；２５０に差し替えると、Ｐ型色覚者にとって暗さを感じさせる水色がより透明な印象を感じるようになる。その結果、このように差し替えた配色でＣ型色覚者とＰ型／Ｄ型色覚者との間で「すっきりした」という感性表現を共有することが可能となる。
【００６４】
阻害原因色「うすい水色」を含む配色に対して、上記のように差し替えることで、同様の改善配色が得られる感性表現としては、この他に「涼しい」、「クリアな」、「真新しい」あるいは「軽快な」等がある。
【００６５】
図５（７）は、阻害原因色が（vii）の「赤紫」Ｒ；Ｇ；Ｂ＝１８１；１４４；１６８の場合の「エレガントな」という感性表現の語に対応する配色の例である。図５（７）の左側の配色の真ん中の「赤紫」Ｒ；Ｇ；Ｂ＝１８１；１４４；１６８を図５（７）の右側のようにＲ；Ｇ；Ｂ＝１９９；１７８；２２２に差し替えると、Ｐ型色覚者にとって硬さを感じさせてしまう赤紫がやさしい印象を感じるようになる。その結果、このように差し替えた配色でＣ型色覚者とＰ型／Ｄ型色覚者との間で「エレガントな」という感性表現を共有することが可能となる。
【００６６】
阻害原因色「赤紫」を含む配色に対して、上記のように差し替えることで、同様の改善配色が得られる感性表現としては、この他に「あやしい」、「情緒的な」、「優雅な」、「つややかな」、「優美な」あるいは「色っぽい」等がある。
【００６７】
図５（８）は、阻害原因色が（viii）の「青」Ｒ；Ｇ；Ｂ＝３３；５５；１６５の場合の「明快な」という感性表現の語に対応する配色の例である。図５（８）の左側の配色の一番右の「青」Ｒ；Ｇ；Ｂ＝３３；５５；１６５を図５（８）の右側のようにＲ；Ｇ；Ｂ＝０；６５；２５５に差し替えると、Ｐ型色覚者にとって暗い濁りのある青色が明るい透明感を感じるようになる。その結果、このように差し替えた配色でＣ型色覚者とＰ型／Ｄ型色覚者との間で「明快な」という感性表現を共有することが可能となる。
【００６８】
阻害原因色「青」を含む配色に対して、上記のように差し替えることで、同様の改善配色が得られる感性表現としては、この他に「あざやかな」、「健全な」あるいは「革新的な」等がある。
【００６９】
（共有度合を付与して表示）
図２のフローチャートに戻り、比較手段１０３が共有可能配色データ（ＤＢ−Ｂ）１２３とマッチしなかった基準の配色を差替配色データ（ＤＢ−Ｄ）１２５と比較した結果、差替配色データとマッチした場合には（Ｓ１０７；Ｙｅｓ）、その配色は差し替えれば感性表現を共有することが可能なので、共有度合は「中」であるとする（Ｓ１０８）。
【００７０】
図４に示すように、基準の配色ａ〜ｊのうち、共有可能配色データ（ＤＢ−Ｂ）１２３とマッチしなかったものには「×」が付されている。このうち、例えば配色ｇは、その一番左側に阻害原因色「オレンジ」Ｒ；Ｇ；Ｂ＝２５５；１３１；０を含んでいるが、図５（４）の差替配色データとマッチするので、図５（４）のように配色を差し替えれば感性表現を共有することが可能となる。そこで、この配色ｇは、図６に示すように太枠で囲んで示す。
【００７１】
また、このとき同様に配色ｂ、配色ｅも差替配色データ（ＤＢ−Ｄ）１２５とマッチしたものとする。図６では、配色ｂ、ｅ、ｇが差し替えれば感性表現を共有することが可能な配色として太枠で囲んで表示されている。
【００７２】
また、比較手段１０３が共有可能配色データ（ＤＢ−Ｂ）１２３とマッチしなかった基準の配色を差替配色データ（ＤＢ−Ｄ）１２５と比較した結果、差替配色データとマッチしなかった場合には（Ｓ１０７；Ｎｏ）、その配色は感性表現を共有することは不可能であり、共有度合は「低」とする（Ｓ１０９）。結局、この配色はその感性表現の語に対応する配色としては使用不可である。
【００７３】
最後に、付与手段１０５は、以上の結果から、基準の配色の各配色に対してＣ型色覚者とＰ型／Ｄ型色覚者との間における感性表現の共有度合を示す情報を付与し、共有度合の付与された基準の配色が出力手段１０６から出力され、表示部１６に表示される（Ｓ１１０）。
【００７４】
（表示の一例）
図７に、その表示の一例を示す。図７に示すように、基準の配色の各配色に対して、そのまま使用可能な感性表現の共有度合が「高」の配色には「〇」、配色のうちの阻害原因色を差し替えれば使用可能な感性表現の共有度合が「中」の配色には「△」、使用不可の感性表現の共有度合が「低」の配色には「×」が表示されている。
【００７５】
なお、図７では、図４の基準の配色に対して、感性表現の共有度合を示す情報を「〇」、「△」、「×」で表示したが、表示方法はこれに限定されるものではなく、他の表示方法でもよい。
【００７６】
また、共有度合が「△」の、差し替えれば共有することが可能な配色について、実際に図５の差替配色データに従って差し替えた結果の配色で表示するようにしてもよい。その場合には、配色変換手段１０４は差替配色データにより配色を変換し、表示部１６は変換された配色を表示する。これにより、操作者は、単に配色を差し替えれば使用可となるというだけでなく、実際にどのような配色になるのかを確認することができる。
【００７７】
（共有度合「低」の配色を使用する場合）
次に、感性表現の共有度合が「低」で、そのままはもちろん配色を差し替えても使用できない配色を使いたい場合の方法を説明する。
【００７８】
図８は、共有度合「低」の配色を使用する場合の処理の一例を示すフローチャートである。
【００７９】
例えば、図７に示す、共有度合とともに表示された基準の配色において、共有度合「低」を表す「×」が付与されている配色ａを使用する場合について説明する。
【００８０】
共有度合「低」であるが使用したい配色として、例えば図７の配色ａを使用する場合、配色変化手段１０７は、まず配色ａのＲＧＢの値をＨＳＶ（色相（Hue）、彩度（Satulation）、明度（Value））の値に変換し、色相・明度・彩度のいずれかを固定する（Ｓ２００）。以下は、色相を固定した場合で記述する。
【００８１】
そして配色変化手段１０７は、図９に示すように、この配色の明度及び彩度を一定間隔で変化させ、変化させた配色を表示部１６に表示する（Ｓ２０１）。このとき、表示部１６に表示する代わりにプリンタからプリントアウトしてもよいし、両方を行うようにしてもよい。
【００８２】
図９に示すように、共有度合「×」が付された配色を中心に置いて、そこから左右方向に彩度を、また上下方向に明度を、それぞれ一定間隔で変化させた配色を並べて表示する。彩度と明度の変化量は図９の左上に示すようにいくつかの数値から選択できるようになっている。
【００８３】
次に、彩度と明度を変化させて図９のように並べて表示された配色からＰ型／Ｄ型色覚者が感性表現を共有することが可能なものを選択する（Ｓ２０２）。配色選択手段１０８は、Ｐ型／Ｄ型色覚者が選択すべく指定した配色を、表示された配色の中から選択する。
【００８４】
本実施の形態では、もともと感性表現として「快活な」という語に対応する配色で、Ｃ型色覚者とＰ型／Ｄ型色覚者との間で感性表現を共有することが可能なものを決定しようとしていたので、ここでは、図９の全ての配色の中からＰ型／Ｄ型色覚者が「快活な」という感性表現を想起できる配色を選択する。
【００８５】
ただし、いくらＰ型／Ｄ型色覚者が「快活な」と感じたとしても、あまり彩度及び明度が変わってしまって逆にＣ型色覚者が「快活な」と感じられなくなってしまってはいけないので、その中でＣ型色覚者も「快活な」と感じられる範囲３０１を図９に大きな太枠で表示してある。Ｃ型色覚者が「快活な」と感じる配色であるかどうかは、特許第３５６２５１６号公報に記載された手法（これをヒューアンドトーン解析という）により、おのおのの配色がＣ型色覚者に想起させる感性表現を特定することで実現している。範囲３０１の中の小さな太枠３０２で表示した配色は、そのままでは共有度合「×」の配色として中心に置かれた配色である。
【００８６】
図９に太枠で表示された範囲３０１でＰ型／Ｄ型色覚者も「快活な」と感じることのできる配色を新たに色相・明度・彩度最適配色データ（ＤＢ−Ｅ）１２６に登録する（Ｓ２０３）。
【００８７】
このように色相・明度・彩度最適配色データ（ＤＢ−Ｅ）１２６に登録される配色の中から使用する配色を特定する（Ｓ２０４）。これにより、Ｃ型色覚者とＰ型／Ｄ型色覚者の間で感性表現を共有することのできる配色を用いることができる。
【００８８】
また、このようにして作成された色相・明度・彩度最適配色データ（ＤＢ−Ｅ）１２６を再利用すれば、次回からは、いちいち彩度・明度を変化させてＰ型／Ｄ型色覚者が選択しなくても済む。
【００８９】
［第２の実施の形態］
次に、本発明の第２の実施の形態について説明する。
【００９０】
第２の実施の形態は、最初に感性表現の語を入力するのではなく、制作物の画像を入力して、その画像からＣ型色覚者が想起する感性表現を特定するとともにその制作物のイメージを代表する配色を抽出し、その配色についてＣ型色覚者とＰ型／Ｄ型色覚者との間で、上で特定した感性表現を共有することができるか調べ、感性表現を共有することが可能な制作物を作成しようというものである。
【００９１】
（第２の実施の形態の色情報表示装置の構成）
図１０に、第２の実施の形態に係る色情報表示装置の概略を示す構成図である。
【００９２】
図１０に示すように、本実施の形態に係る色情報表示装置２は、制御部２０、記憶部２２、入力部２４及び表示部２６等を有して構成されている。
【００９３】
本実施の形態の色情報表示装置２は、第１の実施の形態の色情報表示装置１と略同様の構成である。すなわち、制御部２０は、抽出手段２００、比較手段２０３、配色変換手段２０４、付与手段２０５、出力手段２０６、配色変化手段２０７、配色選択手段２０８、データベース登録手段２０９を有している。そして、抽出手段２００は、受付手段２０１と取得手段２０２を含んで構成される。また、記憶部２２は、色情報表示プログラム２２０、感性表現データ２２１、配色データ（ＤＢ−Ａ）２２２、共有可能配色データ（ＤＢ−Ｂ）２２３、阻害原因色データ（ＤＢ−Ｃ）２２４、差替配色データ（ＤＢ−Ｄ）２２５及び明度・彩度最適配色データ（ＤＢ−Ｅ）２２６を含んで構成される。
【００９４】
本実施の形態の色情報表示装置２が第１の実施の形態の色情報表示装置１と異なる点は２つあり、一つは、本実施の形態の色情報表示装置２が生成手段２１０をさらに備えていることである。もう一つは、抽出手段２００の受付手段２０１が感性表現の語ではなく、制作物の画像データを受け取り、取得手段２０２がこの画像データに対する感性表現を特定し、さらにその画像を代表する配色を抽出することである。その他の構成は第１の実施の形態の色情報表示装置１と同様であるので、詳しい説明は省略する。
【００９５】
生成手段２１０は、入力された画像から抽出された配色が変換された場合に、この変換された配色で構成された画像を生成するものである。
【００９６】
（第２の実施の形態の動作）
図１１は、第２の実施の形態の動作の一例を示すフローチャートである。
【００９７】
まず、制作物の画像を入力する（Ｓ３００）。この入力は画像データを直接入力してもよいし、スキャナで読み取って入力するようにしてもよい。受付手段２０１は、入力された画像データを受け取り、取得手段２０２に渡す。
【００９８】
取得手段２０２は、画像データに対して、特許第３５６２５１６号公報に記載された手法（これをヒューアンドトーン解析という）によりその画像データがもつ配色からその画像がＣ型色覚者に想起させる感性表現を特定し、同時にその画像のイメージを代表する配色を抽出する（Ｓ３０１）。
【００９９】
この配色の抽出にはｋ−ｍｅａｎｓ法が用いられる。なお、抽出する配色は、５色の配色でもよいし、第１の実施の形態と同様に３色の配色でもよい。以下では説明を簡単にするために３色の配色を抽出するものとして説明する。抽出した配色は比較手段２０３に渡される。
【０１００】
比較手段２０３は、この配色を共有可能配色データ（ＤＢ−Ｂ）２２３と比較する（Ｓ３０２）。
【０１０１】
比較した結果、配色が共有可能配色データ（ＤＢ−Ｂ）２２３とマッチした場合には（Ｓ３０３；Ｙｅｓ）、その配色はＣ型色覚者とＰ型／Ｄ型色覚者との間で、上で特定した感性表現を共有することができるものとして出力手段２０６を介して表示部２６に表示する（Ｓ３０４）。この場合には、もともとの配色の画像の制作物を使用することができる。
【０１０２】
一方、比較した結果、配色が共有可能配色データ（ＤＢ−Ｂ）２２３とマッチしなかった場合には（Ｓ３０３；Ｎｏ）、次に比較手段２０３はこの配色を阻害原因色データ（ＤＢ−Ｃ）２２４と比較して阻害原因色を特定して、差替配色データ（ＤＢ−Ｄ）２２５と比較する（Ｓ３０５）。
【０１０３】
その結果、阻害原因色が特定でき、差替配色データ（ＤＢ−Ｄ）２２５とマッチした場合には（Ｓ３０６；Ｙｅｓ）、出力手段２０６を介して表示部２６に、配色を差し替えれば感性表現を共有することが可能であることを表示する（Ｓ３０７）。
【０１０４】
そして、配色変換手段２０４は、実際にその差替配色データで配色を変換し、生成手段２１０は、差し替えられた配色を用いて画像データを生成する（Ｓ３０８）。生成された画像は出力手段２０６から表示部２６に表示される（Ｓ３０９）。これにより、操作者は、制作物の画像がどのように変換されたのか確認したうえで、この配色が変換された制作物を使用することができる。
【０１０５】
また、阻害原因色が特定できない場合、あるいは特定できたとしても差替配色データ（ＤＢ−Ｄ）２２５とマッチしない場合には（Ｓ３０６；Ｎｏ）、その配色では感性表現を共有することはできないので、その配色を使用するか否か操作者に確認する。
【０１０６】
操作者が、その配色を使用すると決めた場合には（Ｓ３１０；Ｙｅｓ）、その配色のＲＧＢの値をＨＳＶ（色相（Hue）、彩度（Satulation）、明度（Value））の値に変換し、色相・明度・彩度のいずれかを固定する。そして配色変化手段２０７により、図９に示すのと同様に、この配色の他を一定間隔で変化させ、変化させた配色を表示部２６に表示する（Ｓ３１１）。
【０１０７】
表示された配色の中からＰ型／Ｄ型色覚者が上で特定された感性表現を感じる配色を選択し、かつその中からＣ型色覚者も感性表現を共有することが可能な配色を特定する（Ｓ３１２）。
【０１０８】
生成手段２１０は、特定された差替配色を用いて画素単位で原因色を差し替えて、制作物をシミュレーションする画像を生成する（Ｓ３１３）。生成されたシミュレーション画像は出力手段２０６を介して表示部２６に表示される（Ｓ３１４）。操作者は、表示された画像を確認し、その差し替えられた配色で生成された制作物を使用することができる。
【０１０９】
また、阻害原因色が特定できない場合、あるいは特定できたとしても差替配色データ（ＤＢ−Ｄ）２２５とマッチしない場合には、感性表現を共有することが不可能なので、操作者はその配色を使用しないと決めた場合には（Ｓ３１０；Ｎｏ）、それで処理は終了する。
【０１１０】
［第２の実施の形態の変形例］
以下、第２の実施の形態の変形例について説明する。
【０１１１】
これは特定された配色が差替配色データ（ＤＢ−Ｄ）２２５とマッチせず、感性表現を共有することが不可能なのに操作者がその配色を使用しようとする場合の処理で、図１１のステップＳ３１１以降の処理に代わるものである。
【０１１２】
図１２は、第２の実施の形態の変形例の動作の一例を示すフローチャートである。
【０１１３】
まず上で特定された画像に対応する感性表現の語に対して使用可能な配色を共有可能配色データ（ＤＢ−Ｂ）２２３から特定する（Ｓ４００）。共有可能配色データ（ＤＢ−Ｂ）２２３とは、図１１のステップＳ３０２、Ｓ３０３で一度比較してマッチしないと判定されているのであるが、マッチせずともそれに近いものを特定して使用しようというものである。
【０１１４】
次に、生成手段２１０は、特定された配色を用いて画素単位で配色を差し替えてシミュレーション画像を生成する（Ｓ４０１）。そして生成された画像は表示部２６に表示される（Ｓ４０２）。これにより、操作者は、制作物の配色を確認した上で使用することができる。
【０１１５】
以上、本発明の実施の形態を説明して来たが、本発明は上記実施の形態には限定されず、本発明の趣旨を逸脱しない範囲で種々な変形が可能である。例えば、上記実施の形態では、色情報表示プログラム１２０をＣＤ−ＲＯＭ等の記録媒体に記憶して提供するようにしてもよい。
【０１１６】
また、制御部１０、２０を構成する各部は、それぞれ一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。
【符号の説明】
【０１１７】
１、２…色情報表示装置、
１０、２０…制御部、
１２、２２…記憶部、
１４、２４…入力部、
１６、２６…表示部、
１００、２００…抽出手段、
１０１、２０１…受付手段、
１０２、２０２…取得手段、
１０３、２０３…比較手段、
１０４、２０４…配色変換手段、
１０５、２０５…付与手段、
１０６、２０６…出力手段、
１０７、２０７…配色変化手段、
１０８、２０８…配色選択手段、
１０９、２０９…データベース登録手段、
２１０…生成手段、
３００…感性表現の共有度合を示す情報
３０１、３０２…太枠
【図１】
2018148456.tif 000003
【図２】
2018148456.tif 000004
【図３】
2018148456.tif 000005
【図４】
2018148456.tif 000006
【図５】
2018148456.tif 000007
【図６】
2018148456.tif 000008
【図７】
2018148456.tif 000009
【図８】
2018148456.tif 000010
【図９】
2018148456.tif 000011
【図１０】
2018148456.tif 000012
【図１１】
2018148456.tif 000013
【図１２】
2018148456.tif 000014